【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
携帯用照明器具であって、
略矩形の照明器具本体であって、当該照明器具本体の１表面から延出し、互いに対向しかつ離間された一対の延出部と、電源を内部に受容する略矩形の空洞とを有するものである、前記照明器具本体と、
前記照明器具本体の前記１表面に隣接して設置され、前記照明器具本体の前記延出部の間で回転自在に支持された略円筒形の照明器具ヘッドであって、
当該照明器具ヘッドの互いに対向する端部は、それぞれ、前記照明器具本体の前記離間された延出部のうちの１つにより回転自在に支持されており、
当該照明器具ヘッドは光を生じさせる光源を含むものであり、
それにより、当該照明器具ヘッドは前記照明器具本体に対して回転自在となり異なる方向に光が向けられるものである、
前記照明器具ヘッドと、
前記光源を選択的に作動させるスイッチと、
前記スイッチに応答して前記光源の動作を制御する電子回路を含む電子回路基板と
を有する携帯用照明器具。
【請求項２】
請求項１記載の携帯用照明器具において、前記略円筒形の照明器具ヘッドは、
前記照明器具本体の端部に隣接して、または、
前記照明器具本体の広い表面に隣接して、または
前記照明器具本体の広い表面に隣接し、かつ当該照明器具本体の端部付近に
設置されるものである、携帯用照明器具。
【請求項３】
請求項１記載の携帯用照明器具において、
前記略円筒形の照明器具ヘッドは、その軸を中心として回転自在であるか、若しくは、
前記略円筒形の照明器具ヘッドは、その端部に、当該略円筒形の照明器具ヘッドをその軸を中心として回転させるノブを含むか、若しくは、
前記略円筒形の照明器具ヘッドは、その軸を中心として回転自在であり、かつその端部に、当該照明器具ヘッドをその軸を中心として回転させるノブを含むものである
携帯用照明器具。
【請求項４】
請求項１記載の携帯用照明器具において、前記略円筒形の照明器具ヘッドは少なくとも１つの円形の電気接点を含み、前記照明器具本体は、当該円形の電気接点に隣接する少なくとも１つの固定された電気接点を含み、当該円形の電気接点と当該固定された電気接点との間に少なくとも１つの電気スリップリング（ｓｌｉｐ  ｒｉｎｇ）接続部が提供されるものであり、
それにより、前記略円筒形の照明器具ヘッドは、３６０°未満で回転自在であるか、若しくは３６０°を超えて回転自在になるものである、
携帯用照明器具。
【請求項５】
請求項１記載の携帯用照明器具において、前記略円筒形の照明器具ヘッドは、円筒形部材と、当該円筒形部材に沿ってスライド自在な湾曲したレンズとを含むものである携帯用照明器具。
【請求項６】
請求項５記載の携帯用照明器具において、前記湾曲したレンズは、１若しくはそれ以上のスライド自在な湾曲したレンズを含み、当該スライド自在な湾曲したレンズの各々は、前記円筒形部材より短く、他のスライド自在な湾曲したレンズとは異なる光学特性を有するものである携帯用照明器具。
【請求項７】
請求項５記載の携帯用照明器具において、前記湾曲したレンズは、
前記円筒形部材に隣接して閉じ込められるか、若しくは、
１若しくはそれ以上のカラーフィルター、偏光フィルター、および／または拡散フィルターを含むか、若しくは、
１若しくはそれ以上のカラーフィルター、偏光フィルター、および／または拡散フィルターを含み、かつ前記円筒形部材に隣接して閉じ込められるものである
携帯用照明器具。
【請求項８】
請求項１記載の携帯用照明器具において、前記略円筒形の照明器具ヘッドは、その内部に、凹部を有する円筒形部材を含み、前記光源は、前記円筒形部材の前記凹部内に発光ダイオードを含むものである携帯用照明器具。
【請求項９】
請求項８記載の携帯用照明器具において、さらに、
前記円筒形部材の前記凹部内の前記発光ダイオードより前方にある反射体、または、
前記円筒形部材の前記凹部内の前記発光ダイオードより前方にあるレンズ、または、
前記円筒形部材の前記凹部内の前記発光ダイオードより前方にある反射体およびレンズ
を有するものである携帯用照明器具。
【請求項１０】
請求項１記載の携帯用照明器具において、前記略円筒形の照明器具ヘッドは、円筒形部材を含み、当該円筒形部材は、熱伝導性金属または熱伝導性非金属を有するものである携帯用照明器具。
【請求項１１】
請求項１記載の携帯用照明器具において、前記スイッチは、
前記略円筒形の照明器具ヘッドの端部において、または、
前記略円筒形の照明器具ヘッドの端部のノブにおいて、または、
前記略円筒形の照明器具ヘッドの、ノブを有する端部において、または、
前記略円筒形の照明器具ヘッドの、ノブを有する端部と反対側の端部において、または、
前記略矩形の照明器具本体上で、または、
前記略矩形の照明器具本体の縁部で、または、
上記のうち任意の２つにおいて
作動可能である携帯用照明器具。
【請求項１２】
請求項１記載の携帯用照明器具において、さらに、電源を有し、当該電源は、
前記略矩形の照明器具本体の前記略矩形の空洞内の略矩形の電源、または、
前記略矩形の照明器具本体の前記略矩形の空洞内に複数の円筒形電源を並列配置で含む電源、または、
前記略矩形の照明器具本体の前記略矩形の空洞内で交換可能な略矩形の電源および複数の円筒形電源
を含むものである携帯用照明器具。
【請求項１３】
請求項１記載の携帯用照明器具において、さらに、前記照明器具本体の前記空洞内に充電池を有し、当該携帯用照明器具は、さらに、
前記照明器具本体上に配置され、前記充電池に電気的に連結された、前記充電池を充電する充電コネクタ、または、
前記照明器具本体上に配置され、前記充電池に電気的に連結された、前記充電池を充電するＵＳＢ互換充電コネクタ
を含むものである携帯用照明器具。
【請求項１４】
請求項１記載の携帯用照明器具において、前記電子回路基板は、電源が前記略矩形の照明器具本体の前記空洞内に配置されている場合、当該電源に隣接して設けられるものであるか、若しくは、
前記スイッチは、前記略矩形の照明器具本体上のスイッチアクチュエータと、前記電子回路基板上にあって前記スイッチアクチュエータにより作動可能な電気スイッチとを有するものであるか、若しくは、
前記電子回路基板は、電源が前記略矩形の照明器具本体の前記空洞内に配置されている場合、当該電源に隣接して設けられるものであり、かつ前記スイッチは、前記略矩形の照明器具本体上のスイッチアクチュエータと、前記電子回路基板上にあって前記スイッチアクチュエータにより作動可能な電気スイッチとを有するものである
携帯用照明器具。
【請求項１５】
請求項１記載の携帯用照明器具において、前記照明器具本体は、取り付け装置を上部に受容する形状を有し、当該取り付け装置は、バンド、ストラップ、クリップ、スリップオン式クリップ、スナップオン式クリップ、フック・アンド・ループ・ファスナー、またはファスナーを有するものである携帯用照明器具。
【手続補正２】
【補正対象書類名】明細書
【補正対象項目名】０００６
【補正方法】変更
【補正の内容】
【０００６】
一部の携帯用照明器具には、把持したり、表面上に配置しなければならないものもあるが、例えばクリップまたはストラップで対象物に取り付け可能なものもある。一部の携帯用照明器具は、当該照明器具の本体と相対的に動かすことのできる光源を有するため、生成された光線を望ましい方向へ向けることができるが、それらの大半または多くは、可動光源の提供に必要な蝶着（ヒンジ式）接合部を伴うことが少なくとも１つの原因で、比較的大型になってしまっている。小型で光線の方向付けが自在な照明器具は少ない。さらに、充電可能で小型かつ光線が方向付かが自在なものはより少ない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第２，９４９，６１２号明細書
（特許文献２）  米国再発行特許発明第３１，４５８号明細書
（特許文献３）  米国意匠登録第２９６，８２７号公報
（特許文献４）  米国意匠登録第３２８，１４４号公報
（特許文献５）  米国意匠登録第３４４，３５８号公報
（特許文献６）  米国意匠登録第３４９，７７６号公報
（特許文献７）  米国意匠登録第４１３，９９３号公報
（特許文献８）  米国意匠登録第４２５，６４２号公報
（特許文献９）  米国特許第６，４６９，６１９号明細書
（特許文献１０）  米国特許第６，９５３，２６０号明細書
（特許文献１１）  米国特許第７，０２１，７８３号明細書
（特許文献１２）  米国特許第７，０３３，０３６号明細書
（特許文献１３）  米国特許第７，０４８，４０３号明細書
（特許文献１４）  米国意匠登録第５４９，３７９号公報
（特許文献１５）  米国特許第７，３０６，３４８号明細書
（特許文献１６）  米国特許第７，４９７，５８４号明細書
（特許文献１７）  米国特許第７，５１３，６６２号明細書
（特許文献１８）  米国特許第８，０６６，３９６号明細書
（特許文献１９）  米国特許出願公開第２００２／０１９１３９６号明細書
（特許文献２０）  米国特許出願公開第２００５／００４１４２８号明細書
（特許文献２１）  米国特許出願公開第２００７／０１５９８０９号明細書
（特許文献２２）  米国特許出願公開第２００７／０１５９８１０号明細書
（特許文献２３）  米国特許出願公開第２００９／０２９０３３５号明細書
（特許文献２４）  米国特許出願公開第２０１０／０００２４２１号明細書
（特許文献２５）  米国特許出願公開第２０１０／０１６５６０９号明細書
（特許文献２６）  米国特許出願公開第２０１０／０１６５６３３号明細書
（特許文献２７）  米国意匠登録第１３９，６２８号公報
（特許文献２８）  米国意匠登録第３０６，２１２号公報
（特許文献２９）  米国意匠登録第３３２，８３９号公報
（特許文献３０）  米国意匠登録第５１８，５８４号公報
（特許文献３１）  米国意匠登録第５４８，３８４号公報
（特許文献３２）  米国意匠登録第５８９，１８６号公報
（特許文献３３）  米国意匠登録第５９５，８７５号公報
（特許文献３４）  米国意匠登録第６４５，１７９号公報
（特許文献３５）  米国意匠登録第６４７，２２９号公報
（特許文献３６）  米国意匠登録第６５０，９３３号公報
（特許文献３７）  米国特許第２６１２，５９８号明細書
（特許文献３８）  米国特許第６１４２，６４４号明細書
（特許文献３９）  米国意匠登録第６５５，４３３号公報
（特許文献４０）  米国意匠登録第６６７，４０４号公報
（特許文献４１）  米国特許出願公開第２００３／０１１２６２４号明細書
（特許文献４２）  米国特許出願公開第２００７／０１７１６２９号明細書
（特許文献４３）  米国特許第２，５３９，９７４号明細書
（特許文献４４）  米国特許第６，９０５，２２３号明細書
（特許文献４５）  米国特許第６，７６４，２０２号明細書
（特許文献４６）  米国特許第６，０２２，１１９号明細書
（非特許文献）
（非特許文献１）  ＳｕｒｅＦｉｒｅ，ＬＬＣ，"Ｈｅａｄｌａｍｐｓ"，ｈｔｔｐ：／／ｗｗｗ．ｓｕｒｅｆｉｒｅ．ｃｏｍ／ｈｅａｄｌａｍｐｓ，（Ｃ）  ２０１０，３  ｐａｇｅｓ
（非特許文献２）  Ｕｎｄｅｒｗａｔｅｒ  Ｋｉｎｅｔｉｃｓ，"Ｖｉｚｉｏｎ  ｅＬＥＤ  −  Ｗａｔｅｒｐｒｏｏｆ  ＬＥＤ  Ｈｅａｄｌａｍｐ"，（Ｃ）  ２００７，１  ｐａｇｅ
（非特許文献３）  ＬＡＢ  ＳＡＦＥＴＹ  ＳＵＰＰＬＹ，"ＢＲＩＧＨＴ  ＳＴＡＲ（Ｒ）  ＷｏｒｋＳａｆｅ（Ｒ）  Ｒａｚｏｒ  Ｚｏｎｅ  Ｚｅｒｏ  Ｆｌａｓｈｌｉｇｈｔ"，（Ｃ）  ２０１１  ＧＨＣ  Ｓｐｅｃｉａｌｔｙ  Ｂｒａｎｄｓ，ＬＬＣ，ｗｗｗ．ｌａｂｓａｆｅｔｙ．ｃｏｍ／ｂｒｉｇｈｔ−ｓｔａｒ−ｗｏｒｋｓａｆｅ−ｒａｚｏｒ−ｚｏｎｅ−ｚｅｒｏ−ｆｌａｓｈｌｉｇｈｔ＿２４５３５８１１，２  ｐａｇｅｓ
（非特許文献４）  ＧＬＯＢＡＬ  ＳＴＯＲＥＳ  ＧＲＯＵＰ  Ｉｎｄｕｓｔｒｉａｌ  &  Ｓａｆｅｔｙ  Ｄｉｖｉｓｉｏｎ，"Ｂｒｉｇｈｔ  Ｓｔａｒ  Ｒａｚｏｒ  ＬＥＤ  Ｆｌａｓｈｌｉｇｈｔｓ"，（Ｃ）２００６，ｗｗｗ．ａｌｌｓａｆｅｔｙｓｕｐｐｌｉｅｓ．ｃｏｍ／ｂｒｉｇｈｔ−ｓｔａｒ−ｒａｚｏｒ−ＬＥＤ−ｆｌａｓｈｌｉｇｈｔｓ＿ｐ＿１４６７４，２  ｐａｇｅｓ
（非特許文献５）  ＢＲＩＧＨＴ  ＳＴＡＲ，"Ｐｒｏｄｕｃｔ  Ｄａｔａ  Ｓｈｅｅｔ：  Ｒａｚｏｒ  ３ＡＡ−ｃｅｌｌ  ＬＥＤ  Ｆｌａｓｈｌｉｇｈｔ"，ｄａｔｅ  ｐｒｉｏｒ  ｔｏ  ５／５／２０１１，１ｐｇ
（非特許文献６）  Ｃａｔ  Ｅｙｅ  Ｃｏ．，Ｌｔｄ．，"Ｈｅａｄｌｉｇｈｔｓ"，ｈｔｔｐ：／／ｗｗｗ．ｃａｔｅｙｅ．ｃｏｍ／ｅｎ／ｐｒｏｄｕｃｔ．．．，（Ｃ）  ２０１０，２３  ｐａｇｅｓ
（非特許文献７）  Ｉｎｔｅｒｎａｔｉｏｎａｌ  Ｓｅａｒｃｈｉｎｇ  Ａｕｔｈｏｒｉｔｙ／ＵＳ，"Ｉｎｔｅｒｎａｔｉｏｎａｌ  Ｓｅａｒｃｈ  Ｒｅｐｏｒｔ  −  Ａｐｐｌｉｃａｔｉｏｎ  Ｎｏ．ＰＣＴ／ＵＳ２０１１／０４６１１９"，Ｄｅｃｅｍｂｅｒ  １２，２０１１，２  ｐａｇｅｓ
（非特許文献８）  ＵＳＰＴＯ，"Ｎｏｔｉｃｅ  ｏｆ  Ｒｅｆｅｒｅｎｃｅｓ  Ｃｉｔｅｄ（ＰＴＯ−８９２）Ｐａｔｅｎｔ  Ａｐｐｌｉｃａｔｉｏｎ  Ｎｏ．２９／３６７，０９９"，ｍａｉｌ  ｄａｔｅ  Ｄｅｃｅｍｂｅｒ  １２，２０１２，１  ｐａｇｅ